(57)【要約】  【解決手段】  ヘッド本体および軽質嵌入体により構成される。上記ヘッド本体にはフェース板、二個のサイド質量部、連接部と収容室が設けられる。上記軽質嵌入体はヘッド本体の収容室の内部に収容され、さらに軽質嵌入体のクラウン部には少なくとも一個の狙い標識が形成されるように構成されている。  【効果】  パターのヘッドの全体の重心は軽質嵌入体の中に位置されると同時に、重心と狙い標識はフェース板の打球ポイントとは適当な相対位置の排列に形成されるため、狙いとパターするのに役立つことができる。【選択図】    図１
2005185372.tif 000002
【特許請求の範囲】
【請求項１】
ヘッド本体（１０）、二個のサイド質量部（１３、１３）、連接部（１４）、収容室（１５）および軽質嵌入体（２０）により構成されるゴルフパターのヘッド構造であって、上記ヘッド本体（１０）の正面にはフェース板（１１）が設けられ、上記二個のサイド質量部（１３、１３）はそれぞれヘッド本体（１０）の両サイドに設けられ、上記連接部（１４）は二個のサイド質量部（１３、１３）の間に形成され、連接部（１４）はフェース板（１１）まで連接され、上記収容室（１５）は二個のサイド質量部（１３、１３）と連接部（１４）の間に形成され、上記軽質嵌入体（２０）はヘッド本体（１０）の収容室（１５）の内部に収容され、軽質嵌入体（２０）のクラウン部には少なくとも一個の狙い標識（２１）が形成され、さらにヘッド本体（１０）の全体の重心は軽質嵌入体（２０）の中に位置するように形成されることを特徴とするゴルフパターのヘッド構造。
【請求項２】
上記連接部（１４）の肉厚は２mmより小さくなるように形成されることを特徴とする請求項１記載のゴルフパターのヘッド構造。
【請求項３】
上記狙い標識（２１）は直線形、矢印形、円形、楕円形、三角形に形成されることを特徴とする請求項１記載のゴルフパターのヘッド構造。
【請求項４】
上記連接部（１４）には後方へ向かって延伸板（１６）が形成されることを特徴とする請求項１記載のゴルフパターのヘッド構造。
【請求項５】
上記延伸端部（１６）の末端には後端質量部（１７）が形成されることを特徴とする請求項１記載のゴルフパターのヘッド構造。
【請求項６】
上記ヘッド本体（１０）の正面の長さは側面の長さより長くなるように形成されることを特徴とする請求項１記載のゴルフパターのヘッド構造。
【請求項７】
上記収容室（１５）の末端は後方へ向かって開放するように形成されることを特徴とする請求項１記載のゴルフパターのヘッド構造。
【請求項８】
上記連接部（１４）は収容室（１５）の末端から上方へ向かって延伸するように形成されることを特徴とする請求項１記載のゴルフパターのヘッド構造。
【請求項９】
上記軽質嵌入体（２０）は密度がヘッド本体（１０）より低い軽質材料により製成され、例えば炭素繊維、ＰＵ、エポキシ樹脂、ゴム、熱塑性弾性体、高分子化合材料から選ぶことができることを特徴とする請求項１記載のゴルフパターのヘッド構造。
【請求項１０】
上記二個のサイド質量部（１３、１３）の間に位置するフェース板（１１）の肉厚は２mmより小さくなるように形成されることを特徴とする請求項１記載のゴルフパターのヘッド構造。
【発明の詳細な説明】
【技術分野】
【０００１】
本発明はゴルフパターのヘッド構造に関するもので、特にヘッド本体に軽質嵌入体と狙い標識を設置することにより、重心を調整してパターの正確度を高めることができるゴルフパターのヘッド構造に係るものである。
【背景技術】
【０００２】
従来のゴルフパターのヘッド構造としては、図８、９に示すように、パターのヘッド本体１０にはフェース板１１、ネック１２、クラウン部１０１、ソール部１０２、後端質量部１０３、中ホール１０４および少なくとも一個の狙い標識１０５が含まれる。中ホール１０４はフェース板１１、クラウン部１０１、ソール部１０２と後端質量部１０３の間に形成される。狙い標識１０５はクラウン部１０１の表面に形成される。パターヘッドの全体の重心はクラウン部１０１とソール部１０２との間の中ホール１０４の内部に形成される。これにより、フェース板１１の正面の長さＡと側面の長さＢに相対して上記重心と狙い標識１０５は一致した座標の位置を有するように形成されるため、使用者にとってパターする時においてゴルフボールを正確に狙うことができると共に、フェース板１１の実際の打球ポイントと重心は同一の直線上に形成されるため、打球の応力をゴルフボールに有効に反応することができ、さらに打球の誤差を減らして打球の正確度を高めることができるとしたものがある（例えば、特許文献１、２を参照）。
【特許文献１】米国特許番号第６，４７１，６００号
【特許文献２】米国特許番号第６，５０６，１２５号
【発明の開示】
【発明が解決しようとする課題】
【０００３】
上記のような従来のゴルフパターのヘッド構造においては、ヘッド本体１０を実際に製造して使用すると、やはり下記の問題点が存在しており、例えばフェース板１１のクラウン部１０１と後端質量部１０３は質量を有しているため、パターヘッドの全体の重心の高度は実際として打球ポイントの高さより高い。その結果、打球時においてフェース板１１の打球ポイントおよび重心の連接線は地面とは水平にならず、少し下方へ傾斜するように形成されるため、ゴルフボールの打球の正確性に影響を及ぼしてしまうという問題点があった。また、ヘッド本体１０は中ホール１０４の構造を有しているため、その製造工程としては鋳造方式しか使用することができず、さらに製造工程において中ホール１０４の内周壁には縮小孔、屑孔などの鋳造の欠陥が生じ易いため、ヘッド本体１０の後続の加工作業および完成品の歩留りに影響を与えてしまうという問題点があった。このように、上記のような従来のゴルフパターのヘッド構造をさらに改良しなければならない。
【０００４】
本発明はこのような問題点に鑑みて発明したものであって、その目的とするところは、ヘッド本体のフェース板の後方に軽質嵌入体を結合させ、そして軽質嵌入体から狙い標識を形成させることにより、ヘッド本体の全体の重心は軽質嵌入体の中に位置するように形成され、重心、狙い標識と打球ポイントとの間には比較的よい相対位置に形成されるため、打球の誤差を確実に減らし、打球の正確度を高め、さらにヘッド本体の構造を簡単にすることができるゴルフパターのヘッド構造を提供しようとするものである。
【０００５】
本発明の第一の目的は、ヘッド本体のフェース板の後方に軽質嵌入体と狙い標識を設けることにより、重心を調整すると共に、狙いを定めてパターするのに役立つことができるため、打球の誤差を確実に減らし、打球の正確度を高めることができるゴルフパターのヘッド構造を提供しようとするものである。
【０００６】
本発明の第二の目的は、ヘッド本体のフェース板の後方に軽質嵌入体と狙い標識を設けることにより、良好な慣性モーメントを形成するのに役立つことができるため、パターの安定性を高めることができるゴルフパターのヘッド構造を提供しようとするものである。
【０００７】
上記目的を達成するために、本発明によるゴルフパターのヘッド構造は、下記のようになるものである。すなわち、
ヘッド本体、二個のサイド質量部、連接部、収容室および軽質嵌入体により構成される。上記ヘッド本体の正面にはフェース板が設けられる。上記二個のサイド質量部はそれぞれヘッド本体の両サイドに設けられる。上記連接部は二個のサイド質量部の間に形成され、連接部はフェース板まで連接される。上記収容室は二個のサイド質量部と連接部の間に形成される。上記軽質嵌入体はヘッド本体の収容室の内部に収容され、軽質嵌入体のクラウン部には少なくとも一個の狙い標識が形成され、さらにヘッド本体の全体の重心は軽質嵌入体の中に位置するように形成される。
【０００８】
本発明によるゴルフパターのヘッド構造は、上記連接部の肉厚は２mmより小さくなるように形成されることもできる。また、上記狙い標識は直線形、矢印形、円形、楕円形、三角形に形成されることもできる。また、上記連接部には後方へ向かって延伸板が形成されることもできる。また、上記延伸端部の末端には後端質量部が形成されることもできる。また、上記ヘッド本体の正面の長さは側面の長さより長くなるように形成されることもできる。また、上記収容室の末端は後方へ向かって開放するように形成されることもできる。また、上記連接部は収容室の末端から上方へ向かって延伸するように形成されることもできる。また、上記軽質嵌入体は密度がヘッド本体より低い軽質材料により製成され、例えば炭素繊維、ＰＵ、エポキシ樹脂、ゴム、熱塑性弾性体、高分子化合材料から選ぶこともできる。また、上記二個のサイド質量部の間に位置するフェース板の肉厚は２mmより小さくなるように形成されることもできる。
【発明の効果】
【０００９】
本発明のゴルフパターのヘッド構造によれば、ヘッド本体のフェース板の後方に軽質嵌入体と狙い標識を設けることにより、重心を調整すると共に、狙いを定めてパターするのに役立つことができるため、打球の誤差を確実に減らし、打球の正確度を高めることができるという利点がある。
【００１０】
本発明のゴルフパターのヘッド構造によれば、ヘッド本体のフェース板の後方に軽質嵌入体と狙い標識を設けることにより、良好な慣性モーメントを形成するのに役立つことができるため、パターの安定性を高めることができるという利点がある。
【発明を実施するための最良の形態】
【００１１】
本発明の実施の形態について、以下、図面を参照して説明する。
【００１２】
図１は本発明の実施例１のゴルフパターのヘッド構造による組み立てられた状態の斜視図で、図２は本発明の実施例１のゴルフパターのヘッド構造によるもう一つの組み立てられた状態の斜視図で、図３は本発明の実施例１のゴルフパターのヘッド構造による分解斜視図で、図４は本発明の実施例１のゴルフパターのヘッド構造によるもう一つの製造工程の斜視図で、図５は本発明の実施例２のゴルフパターのヘッド構造による組み立てられた状態の斜視図で、図６は本発明の実施例３のゴルフパターのヘッド構造による組み立てられた状態の斜視図で、図７は本発明の実施例３のゴルフパターのヘッド構造によるもう一つの組み立てられた状態の斜視図である。
【００１３】
本発明のゴルフパターのヘッド構造の一部分の構造は図８、９に示す従来のゴルフパターのヘッド構造とは同じであるため、両者の同じ部分の構造は同じ符号を採用して標示するため、その構造および功能については再び詳細に説明しない。
【実施例１】
【００１４】
図１、２を参照すると、本発明の実施例１のゴルフパターのヘッド構造にはヘッド本体１０および軽質嵌入体２０が含まれる。ヘッド本体１０はステンレス、炭素鋼、チタン合金、銅合金などの材質により製成されたパター型のヘッドである。ヘッド本体１０にはフェース板１１、ネック１２、二個のサイド質量部１３、連接部１４と収容室１５が設けられる。フェース板１１はヘッド本体１０の正面に形成され、ゴルフボール（図示せず）を打球するのに用いられる。ネック１２はヘッド本体１０の上面の片側に形成され、シャフト（図示せず）と結合するのに用いられる。二個のサイド質量部１３はヘッド本体１０の両サイドに形成され、二個のサイド質量部１３はヘッド本体１０の重量配置を構成すると共に、好ましくは略Ｌ字形に形成される。連接部１４は二個のサイド質量部１３の間に連接されるため、本発明においては比較的よい慣性モーメントを有することができる。また、通常として連接部１４の肉厚は２mmより小さくなるように形成され、好ましくは１mmより小さく、特に約0.5mmである。連接部１４の一端の端縁はフェース板１１の底部まで連接され、そして連接部１４はフェース板１１の二個のサイド質量部１３と共同で囲んで収容室１５を形成する。収容室１５の末端は後方へ向かって開放するように形成されると共に、適当な方式により軽質嵌入体２０を結合することができる（図３、４を参照する）。軽質嵌入体２０は密度がヘッド本体１０より低い軽質材料により製成され、例えばＰＵ（polyurethane）、炭素繊維材料、エポキシ樹脂（epoxy）、ゴム、熱塑性弾性体（thermoplastic elastomer）、天然または合成の高分子化合材料から選ぶことができる。さらに、軽質嵌入体２０の上面には適当な方式により少なくとも一個の狙い標識２１が形成され、その形成の方法は図３、４を利用して下記にて詳細に説明する。狙い標識２１は直線形、矢印形で、使用者が簡単にゴルフボールを狙うのに役立つことができる。その他に、ヘッド本体１０の正面の長さＡは通常として側面の長さＢより大きくなるように形成される。二個のサイド質量部１３の間のフェース板１１の肉厚は２mmより小さくなるように形成され、好ましくは１mmより小さく、特に約0.5mmである。
【００１５】
図３、４を参照すると、本発明の実施例１の軽質嵌入体２０は例えば、プレハブ成形、熱圧成形または射出成形の方式によりヘッド本体１０に結合されることができる。図３に示すように、軽質嵌入体２０は予め適当な型（図示せず）を利用して成型した後、再び粘着剤を利用してヘッド本体１０の収容室１５に結合する。また、狙い標識２１は例えば印刷着色の方式を利用して軽質嵌入体２０の表面に形成させることができ、または型で軽質嵌入体２０を製造する時、異なる顔色の同種の充填剤を混ぜて軽質嵌入体２０の表面に直接一体になるように狙い標識２１を形成することができる。図４に示すように、ヘッド本体１０の収容室１５に枠板３０を被覆することができ、そして直接充填を行ったり適当な軽質材料を射込んだりすることにより、粘着剤を使用することなく軽質嵌入体２０を収容室１５に直接結合することができる。それから、上述同様に印刷着色の方式を利用して軽質嵌入体２０の表面に狙い標識２１を形成させる。
【００１６】
再び図１、２を参照すると、サイド質量部１３と軽質嵌入体２０との相対排列の関係により、パターのヘッド本体１０の重心は軽質嵌入体２０の中に位置するように形成され、そして上記重心を狙い標識２１に位置合わせると同時に、上記重心はフェース板１１の実際の打球ポイントと同一の水平高度を保つことができるように形成される。このように、パターをする時、使用者は狙い標識２１を利用してゴルフボールを正確に狙い、そして打球時においてフェース板１１の実際の打球ポイントから打球の応力を完全にゴルフボールに与えることができるため、本発明においては打球の誤差を確実に減らし、さらに打球の正確度を高めることができる。また、ヘッド本体１０の構造が簡単で、しかも各種の製造工程にも適用することができ、さらに製品の歩留りを高めることができ、例えば使用上の需要性または現有の製造工程に応じて精密鋳造、鋳造、機械加工、圧力鋳造、鍛造、射出成形などの方式により一体成形になるように製造し、または分段接合の方式により一体になるように組み立てる。さらに、フェース板１１の肉厚は２mmより小さくなるため、フェース板１１の弾性による変形能力を高めることができる。
【実施例２】
【００１７】
図５を参照すると、本発明の実施例２のゴルフパターのヘッド構造が掲示される。実施例１と比較し、実施例２のヘッド本体１０の連接部１４は収容室１５の末端から上方へ向かって延伸するように形成されることにより、軽質嵌入体２０が収容室１５の後方からヘッド本体１０から離脱するのを防止することができるため、収容室１５と軽質嵌入体２０との結合の信頼性を相対的に増やすことができる。
【実施例３】
【００１８】
図６、７を参照すると、本発明の実施例３のゴルフパターのヘッド構造が掲示される。実施例１と比較し、実施例３のヘッド本体１０の連接部１４にはさらに後方へ向かって延伸板１６と後端質量部１７が形成される。ヘッド本体１０はＴ字形に形成され、そしてヘッド本体１０の正面の長さＡは好ましくは側面の長さより長くなるように形成される。また、収容室１５と延伸板１６の上方の空間を利用してＴ字形の軽質嵌入体２０を適当に結合し、そして軽質嵌入体２０の上面に少なくとも一個の狙い標識２１を形成し、狙い標識２１は直線形、矢印形、円形、楕円形、三角形に形成することができる。このように、ヘッド本体１０と軽質嵌入体２０により重心を軽質嵌入体２０の中に位置するように形成させることができるが、上記重心は実施例１に相対して後方へ移動すると同時に、二個のサイド質量部１３と後端質量部１７によりヘッド本体１０を三角形の質量分布に形成させることにより、本発明のパターのヘッドはさらによい慣性モーメントを有するように形成されるため、パターの打球の安定性を大幅に高めることができる。その他に、上記重心は同様に狙い標識２１に位置合わせることができ、さらに上記重心はフェース板１１の実際の打球ポイントと同一の水平高度を保つことができるため、打球の誤差を減らして打球の正確度を高めることができる。
【産業上の利用可能性】
【００１９】
上述の如く、図８、９に示す従来のゴルフパターのヘッド構造によれば、重心が高く、製造工程において鋳造による欠陥が生じ易いなどの問題点があったが、図１に示す本発明のゴルフパターのヘッド構造によれば、ヘッド本体１０の適当な位置に軽質嵌入体２０と狙い標識２１を設置することにより、ヘッド本体の構造を簡単にし、打球の誤差を減らして打球の正確度を高めることができる。
【００２０】
本発明は、その精神及び必須の特徴事項から逸脱することなく他のやり方で実施することができる。従って、本明細書に記載した好ましい実施例は例示的なものであり、限定的なものではない。
【図面の簡単な説明】
【００２１】
【図１】本発明の実施例１のゴルフパターのヘッド構造による組み立てられた状態の斜視図である。
【図２】本発明の実施例１のゴルフパターのヘッド構造によるもう一つの組み立てられた状態の斜視図である。
【図３】本発明の実施例１のゴルフパターのヘッド構造による分解斜視図である。
【図４】本発明の実施例１のゴルフパターのヘッド構造によるもう一つの製造工程の斜視図である。
【図５】本発明の実施例２のゴルフパターのヘッド構造による組み立てられた状態の斜視図である。
【図６】本発明の実施例３のゴルフパターのヘッド構造による組み立てられた状態の斜視図である。
【図７】本発明の実施例３のゴルフパターのヘッド構造によるもう一つの組み立てられた状態の斜視図である。
【図８】従来のゴルフパターのヘッド構造による組み立てられた状態の斜視図である。
【図９】従来のもう一つのゴルフパターのヘッド構造による組み立てられた状態の斜視図である。
【符号の説明】
【００２２】
１０    ヘッド本体                    １０１    クラウン部
１０２    ソール部                      １０３    後端質量部
１０４    中ホール                      １０５    狙い標識
１１    フェース板                      １２    ネック
１３    サイド質量部                    １４    連接部
１５    収容室                          １６    延伸板
１７    後端質量部                      ２０    軽質嵌入体
２１    狙い標識                        ３０    枠板
Ａ    正面の長さ                        Ｂ    側面の長さ
【図１】
2005185372.tif 000003
【図２】
2005185372.tif 000004
【図３】
2005185372.tif 000005
【図４】
2005185372.tif 000006
【図５】
2005185372.tif 000007
【図６】
2005185372.tif 000008
【図７】
2005185372.tif 000009
【図８】
2005185372.tif 000010
【図９】
2005185372.tif 000011